(57)【要約】  本発明は、使い捨てオムツ（２）、特に失禁介護のための使い捨てオムツに関する。このオムツは、オムツの腰まわりを円周方向に閉じるベルト（１０）を備える。このベルトは少なくとも１箇所で開けられるようになっていて、それ自体閉じられる。またこのオムツは、前あて領域、背あて領域、その間にある股ぐり領域からなるオムツ本体（４）を備える。このオムツ本体は液体に対する吸収体（６）を持つ。そしてこのオムツの場合、オムツ本体（４）の前あて領域または背あて領域の縦方向末端が、第１のファスナー（３４）を介して、引き離し可能な状態でベルト（１０）に固定されている。この場合、ユーザーはベルト（１０）装着時に、オムツ本体（４）を両足の間から引き上げ、オムツ本体（４）のまだ自由な縦方向末端をベルト（１０）に、引き離し可能な状態で固定可能である。この使い捨てオムツにおいて、このベルト（１０）は一体型の素材切断物（８）から形成されている。この素材切断物はオムツ本体（４）に接合され、縦方向中心軸の左右において、オムツ縦方向（１８）に伸びる折り目（２０）で、それ自体折り畳まれている。
2007501034.tif 000002
【特許請求の範囲】
【請求項１】
使い捨てオムツ（２）、特に失禁介護のための使い捨てオムツであって、このオムツは、オムツの腰まわりを円周方向に閉じるベルト（１０）を備え、このベルトは少なくとも１箇所で開くことができ、そしてそれ自体閉じることができ、またこのオムツは、前あて領域、背あて領域、その間にある股ぐり領域からなるオムツ本体（４）を備え、このオムツ本体は液体に対する吸収体（６）を持ち、そしてこのオムツの場合、前記オムツ本体（４）の前あて領域または背あて領域の縦方向末端が、第１のファスナー（３４）を介して、引き離し可能な状態で前記ベルト（１０）に固定され、この場合、ユーザーはベルト（１０）装着時に、前記オムツ本体（４）を両足の間から引き上げ、前記オムツ本体（４）のまだ自由な縦方向末端を前記ベルト（１０）に、引き離し可能な状態で固定可能な上記の使い捨てオムツにおいて、このベルト（１０）が一体型の素材切断物（８）から形成され、この素材切断物は前記オムツ本体（４）に接合され、縦方向中心軸の左右において、オムツ縦方向（１８）に伸びる折り目（２０）で、それ自体折り畳まれていることを特徴とする、使い捨てオムツ。
【請求項２】
前記ベルト（１０）が折り畳み配置のまま、引き離し可能な状態で固定されていることを特徴とする、請求項１に記載の使い捨てオムツ。
【請求項３】
引き離し可能な状態での固定は、前記ベルト（１０）を形成する素材切断物（８）において、重ね合わせて折り畳まれた切断物一部分（３０）相互の接合箇所（３２）または接合領域によって行われることを特徴とする、請求項２に記載の使い捨てオムツ。
【請求項４】
接合箇所（３２）または接合領域はほぼ点状に形成されていることを特徴とする、請求項２または３に記載の使い捨てオムツ。
【請求項５】
一体型の前記素材切断物（８）が、オムツの縦方向中心軸の左右で、それぞれ少なくとも２本の折り目（２０）でそれ自体折り畳まれていることを特徴とする、前記各請求項のいずれかに記載の使い捨てオムツ。
【請求項６】
一体型の前記素材切断物（８）が、オムツの縦方向中心軸の左右で、それぞれ少なくとも３本または４本の折り目（２０）でそれ自体折り畳まれていることを特徴とする、前記各請求項のいずれかに記載の使い捨てオムツ。
【請求項７】
一体型の前記素材切断物（８）が折り畳み配置のとき、そのつかみしろ（２４）の自由な末端（２２）が、オムツ本体（４）の縦方向側縁（１６）を越えて横方向（１４）に、特に少なくとも１０ｍｍ、特に少なくとも２０ｍｍ、さらに特には少なくとも３０ｍｍ突出することを特徴とする、前記各請求項のいずれかに記載の使い捨てオムツ。
【請求項８】
一体型の前記素材切断物（８）が折り畳み配置のとき、そのつかみしろ（２４）の自由な末端（２２）が、前記オムツ本体（４）の縦方向側縁（１６）を越えて横方向（１４）に突出することを特徴とする、前記各請求項のいずれかに記載の使い捨てオムツ。
【請求項９】
前記ベルト（１０）を形成する前記素材切断物（８）が展開状態にあるときの長さは、横方向（１４）に前記オムツ本体（４）の縦方向周縁（１６）を超えて、少なくとも２００ｍｍ、特には少なくとも３００ｍｍ、特には少なくとも４００ｍｍ、特には少なくとも５００ｍｍ、さらに特には少なくとも６００ｍｍ突出することを特徴とする、前記各請求項のいずれかに記載の使い捨てオムツ。
【請求項１０】
前記ベルト（１０）の縦方向（１８）における長さは３０ｍｍ〜１２０ｍｍ、特には３０ｍｍ〜１００ｍｍ、特には３０ｍｍ〜８０ｍｍ、特には３０ｍｍ〜７５ｍｍ、特には４４ｍｍ〜７０ｍｍ、特には４０ｍｍ〜６５ｍｍ、さらに特には４０ｍｍ〜６０ｍｍであることを特徴とする、前記各請求項のいずれかに記載の使い捨てオムツ。
【請求項１１】
一体型の前記素材切断物（８）が前記オムツ本体（４）の外側（１２）に、取り外しできない状態で接合されていることを特徴とする、前記各請求項のいずれかに記載の使い捨てオムツ。
【請求項１２】
一体型の前記素材切断物（８）が、特に領域を限った接着剤塗布（４４）により、前記オムツ本体（４）に接合されていることを特徴とする、前記各請求項のいずれかに記載の使い捨てオムツ。
【請求項１３】
素材切断物（８）を形成して前記ベルト（１０）を製造するため、無端で平らな素材シート（４２）を供給し、
オムツ縦方向（４０）に伸びる折り目（２０）で平らな素材シート（４２）を折り畳むが、その際平らな素材シート（４２）を、縦方向中心軸の左右でそれ自体折り畳み、
一体型の素材切断物（８）をそれぞれ形成してベルト（１０）を製造するため、折り畳まれた平らな素材シートから、縦方向において切断されたものを分離し、
素材切断物（８）をオムツ本体（４）に、取り外し不可能な状態で固定する
手順段階を特徴とする、前記各請求項のいずれかに記載の使い捨てオムツを製造する方法。
【請求項１４】
前記平らな素材シート（４２）が中心軸の左右において、それぞれ２本の折り目（２０）でそれ自体折り畳まれることを特徴とする、請求項１３に記載の方法。
【請求項１５】
重ね合わせて折り畳まれた前記平らな素材シート（４２）の切断物一部分（３０）が、引き離し可能な状態で固定されることを特徴とする、請求項１３または１４に記載の方法。
【請求項１６】
前記素材切断物（８）がオムツ本体（４）に、接着剤（４４）によって取り外し不可能な状態で接合されることを特徴とする、請求項１３〜１５のいずれかに記載の方法。
【請求項１７】
接着剤（４４）が平らな素材シート（４２）に対し、その縦方向（４０）にたがいに間隔を取る領域（４６）に塗布されることを特徴とする、請求項１３〜１６のいずれかに記載の方法。
【請求項１８】
接着剤（４４）が前記平らな素材シート（４２）の領域ごとに塗布される際、縦方向（４０）および好ましくは横方向（１４）にも、後に分離される前記素材切断物（８）の周縁から間隔を取って塗布されることを特徴とする、請求項１３〜１７のいずれかに記載の方法。
【請求項１９】
接着剤（４４）が平らな素材シートに規則的に塗布されることを特徴とする、請求項１３〜１８のいずれかに記載の方法。
【発明の詳細な説明】
【技術分野】
【０００１】
本発明は次のような使い捨てオムツ、特に失禁介護のための使い捨てオムツに関する。すなわちこのオムツは、オムツの腰まわりをその円周方向で閉じるベルトを備え、このベルトは、少なくとも１箇所で開けられるようになっていて、またそれ自体で閉じられるものである。またこのオムツは、前当て領域、背当て領域、それらの間の股ぐり領域からなるオムツ本体を持ち、このオムツ本体は液体に対する吸収体を備える。このオムツの場合、オムツ本体、その前当て領域または背当て領域の縦方向末端を、第１のファスナーによって、引き離し可能な状態でベルトに固定可能となっている。この場合、ベルトを装着しているとき、ユーザーが両脚の間からオムツ本体を引き上げられるよう、そしてオムツ本体のまだ自由な縦方向末端を、引き離し可能な状態でベルトに固定できるような方法で、固定が行われる。
【背景技術】
【０００２】
この種の使い捨てオムツは、たとえば特許文献１または特許文献２から知られている。
【０００３】
この種の使い捨てオムツは、多くの種類のものが知られている。これらのオムツは、ユーザーがオムツを装着するとき、まずベルトをヒップにまわし、通常は腹部領域で閉じられるのが利点である。使い捨てオムツのオムツ本体は、通常は背当て領域でベルトに固定されているが、固定されない他方末端はその間下方に垂れている。次にユーザーはベルトを閉じた後、オムツ本体の自由な縦方向末端をつかみ、オムツ本体を背後から両脚の間を引き上げて、オムツ本体の自由な縦方向末端をベルトの内側または外側に、引き離し可能な状態で固定する。そのために第１のファスナーが設けられている。当然のことであるがこの使い捨てオムツの装着は、次のような方法でも行える。すなわち、ベルトを装着して閉じた後、自由な状態で下方に垂れているオムツ本体を、前から後ろにユーザーの両脚の間を通し、その背当て領域をベルトに引き離し可能な状態で固定することもできる。また次のような使い捨てオムツも知られている。すなわち、オムツ本体全体をベルトから引き離し可能なものとし、したがって特に重度の介護が必要な寝たきりのユーザーの場合、この使い捨てオムツの取り扱いに大幅な柔軟性が得られるものである。
【０００４】
上記の印刷物の場合、オムツ本体の左右に、別々に横方向に伸びる２本の素材切断物が接合されて、ベルトを形成している。定められた通りにオムツを使用するとき、強い力がベルトに生じるので、これらの力がオムツ本体に導かれて、受け止められるという問題が存在する。
【０００５】
【特許文献１】米国特許出願公開第２００１／００３４５１２号
【特許文献２】欧州特許出願公開第１２６９９４９号
【発明の開示】
【発明が解決しようとする課題】
【０００６】
本発明の課題は、この種の使い捨てオムツを上記の問題の点で改善することと、経済的に製造できるようにすることである。またそれに適した製造方法をも得たい。
【課題を解決するための手段】
【０００７】
本発明は、この種の使い捨てオムツの場合に、この課題を次のようにして解決する。すなわち、このベルトを一体型の素材切断物から形成されるものとし、この素材切断物をオムツ本体に接合し、縦方向中心軸の左右で、オムツ縦方向に伸びる折り目を中心にそれ自体を折り返すものとする。
【０００８】
したがって本発明は、横方向または腰まわり円周方向に伸びる一体型の素材切断物をオムツ本体に接合して、ベルトを形成する。接合が面として行われるため、引っ張り力がオムツ本体に導かれることはなく、抗張力あるベルト素材にすべて受け止められる。このことは、オムツ本体を形成する土台（ベース）素材を選択する際に柔軟性を大きくする可能性を開く。そのほか、オムツ本体とベルトの接合部の安定性に対する要求が緩和される。ベルトを形成する素材切断物は、後に本発明による製造法に関して説明するように、機械の動作方向に供給される平らな素材シートから、縦方向における単独の切断物として得られる。
【０００９】
本発明のもう１つの実施形態では、迅速に動作する製造機械の内部で、ベルトが意図せずして展開されたり開いたりしないよう、このベルトを左右とも折り畳み配置のまま引き離し可能な状態で固定すれば、有利なことが明らかである。折り畳み配置において、ベルトが折り畳まれたまま引き離し可能な状態で固定されていることにより、非常に長いベルトをオムツ本体に製造機械内部で接合できるのは、有利なことである。
【００１０】
本発明のさらなる発展形として、ベルトを形成する素材切断物において、その重ね合わせて折り畳まれた切断物各部分の接合箇所または接合領域で、引き離し可能な固定部を形成すれば、有利なことが明らかである。しかしそのほかの保持手段、たとえば引き離し可能なテープ切断物によって、この折り畳み配置のまま引き離し可能な状態で固定するようにしてもよい。
【００１１】
オムツ本体に接合されてベルトを形成する素材切断物において、重ね合わせて折り畳まれた切断物各部分は、前記のような状態で、好ましくは１動作で引き離し可能な状態で固定される。このような固定は、冷間圧着によって、あるいは高温を用いる圧着（熱融着）によって、ニードルパンチング、特に高温ニードルパンチングによって、あるいは超音波融着またはレーザー融着または類似の作用を持つ接合方法によって、得られる。
【００１２】
もっとも単純な場合、この素材切断物は、縦中心軸の左右で各１本の折り目でそれ自体を折り畳むので、２つの切断物一部分が重なり合って位置し、またはたがいに接触する。しかし好ましくはこの素材切断物を、少なくとも２本の折り目でそれ自体折り畳んで、Ｚ字形の断面を生じるものとする。もう１つの好ましい実施形態では、この素材切断物を３本の折り目でそれ自体折り畳む。もう１つの好ましい実施形態では、この素材切断物を４本の折り目でそれ自体折り畳む。
【００１３】
本発明によるベルト式オムツのもう１つの好ましい実施形態では、この一体型素材切断物は折り畳み配置のとき、その自由な末端のつかみしろが、オムツ本体の縦方向側縁を越えて横方向に突出する。このつかみしろは、特にベルトの左右の自由な末端によって形成されている。
【００１４】
一体型の素材切断物を展開する前に、好ましくはこれらのつかみしろを横方向外側に向けるものとする。すなわちたがいに反対方向に、そして平らなアンダーシートの上に広げられたオムツ本体の縦中心軸から反対方向に向ける。そのためこれらのつかみしろを、ユーザーの左手によって左側から、そして右手によって右側から、スムーズにつかめる。このベルト式オムツは、特に重度の介護を必要とする人に用いるとき、特に有利であることが明らかである。したがってこのベルト式オムツは、たとえば介護の必要な患者（被介護者）が側位の姿勢にあるときに装着されることが多い。この場合、オムツ本体を越えて左右に突出する素材切断物は、患者の下を通って掛けまわされる。患者の下に掛けまわすというこのプロセスは、引き離し可能な状態で固定されて折り畳まれた素材切断物、かつベルトを形成するそのような素材切断物を用いれば、非常に簡単になる。
【００１５】
素材切断物において重ね合わせて折り畳まれた切断物一部分同士の、引き離し可能な状態での固定、場合によっては切断物一部分とオムツ本体とのそのような固定は、好ましくは主として点状の複数の接合箇所によって行うものとする。ここにいう点状の接合箇所とは、その接合箇所の面積（オムツ本体のＸ−Ｙ平面に投影したもの）が５ｍｍ2以下、特には２ｍｍ2以下、さらに特には１ｍｍ2以下であることを意味する。これらの接合箇所は厳密に点状または円形である必要はない。点状または円形とは異なる形状、たとえば三角形、四角形、多角形または楕円形のものも考えられ、有利である。好ましくは、素材切断物において重ね合わせて折り畳まれた切断物一部分同士の、引き離し可能な状態の固定が、熱または超音波で生成された接合箇所、好ましくは点状のそのような接合箇所によって行われているものとする。
【００１６】
ベルトを形成する素材切断物の折り畳み配置における長さのうち、横方向にオムツ本体の縦方向周縁を越える部分は少なくとも２００ｍｍ、特には少なくとも３００ｍｍ、特には少なくとも４００ｍｍ、特には少なくとも５００ｍｍ、さらに特には少なくとも６００ｍｍとする。オムツ縦方向におけるベルトの長さは３０ｍｍ〜１２０ｍｍ、特には３０ｍｍ〜１００ｍｍ、特には３０ｍｍ〜８０ｍｍ、特には３０ｍｍ〜７５ｍｍ、特には４４ｍｍ〜７０ｍｍ、特には４０ｍｍ〜６５ｍｍ、さらに特には４０ｍｍ〜６０ｍｍとする。
【００１７】
この一体型の素材切断物は、有利な方法として、オムツ本体の外側に取り外し不可能な状態で接合するものとする。この接合は、任意の方法で行える。しかしこの一体型の素材切断物は、有利な方法として、オムツ本体への接合方法として、単に限られた領域に接着剤を塗布しているだけとすることができる。特には素材切断物およびオムツ本体がたがいに接触する平面の周縁までは、その接着剤が塗布されていないものとすれば、有利であることが明らかである。これは、この組み合わせ物の周縁周囲領域を、接着剤が存在しないままとするためである。これには、こうしておけば積層時に、各層の間の接着剤が外側に押し出されないという利点がある。
【００１８】
本発明は、本発明が属する種類の使い捨てオムツの製造法も、その対象とする。この方法は、下記のような手順段階を特徴とする。
【００１９】
―ベルトを製造するため、素材切断物を形成するエンドレスの平らな素材シートを供給する。
【００２０】
―オムツ縦方向に伸びる折り目で平らな素材シートを折り畳む。その際この平らな素材シートを、縦方向中心軸の左右でそれ自体折り畳む。
【００２１】
―折り畳まれた平らな素材シートを縦方向において切断したものを分離する。一体型の素材切断物をそれぞれ形成して、ベルトを製造するためである。
【００２２】
―オムツ本体に素材切断物を、取り外し不可能な状態で固定する。
【００２３】
本発明による方法の好ましい発展形を、付随する従属請求項に記載した。特にベルトを形成する一体型の素材切断物は、接着剤を用いてオムツ本体に接合すれば、有利であることが明らかである。さらにはそのため接着剤を、素材切断物が分離される平らな素材シートにおいて、縦方向にたがいに間隔を取る各領域に塗布すれば、有利であることが明らかである。実際に切断される領域にはこの場合、接着剤が存在しないのが好ましい。
【００２４】
さらには接着剤を平らな素材シートに塗布する際、接着剤がオムツ縦方向において、そして好ましくは横方向においても、平らな素材シートが後に分離されるその周縁から間隔を取れば、有利であることが明らかである。このような場合、規則的に接着剤を平らな素材シートに塗布すれば、有利であることが明らかである。
【００２５】
オムツ本体に接合された一体型の素材切断物は、好ましくは不織布から形成されるものとし、特に好ましくはスパンボンド素材（Ｓ）、またはスパンボンド‐メルトブロー素材（ＳＭ）、または両側にスパンボンド素材を施されたメルトブロー層（ＳＭＳ）、またはカーディングされた不織布を用いてもよい。また不織布素材積層物、特には前記不織布素材の２層、３層または多層組み合わせ物をも用いてもよい。各層の結合は通常行われている公知の方法によって、たとえば熱による接合法（融着、特にレーザー融着、ホットメルト、エアスルー）によって、または超音波融着法によって行える。不織布素材の冷間圧着、ニードルパンチング、縫合、接着も考えられる。織布、ニット、編組物、すなわち広い意味の繊維結合を含む素材との結合も考えられる。熱可塑性材料、および特に弾性材料からなるフィルムも用いてもよい。好ましくは多層ラミネートフィルムとして、不織布／フィルム積層物も用いてもよい。この積層物はフィルム層を少なくとも１つ、そして不織布層を少なくとも１つまたは繊維素材の層を少なくとも１つ含んでもよい。フィルム層は、特にベルトの弾性領域を作るために用いられる。各層の結合も、前記の方法で行える。
【００２６】
好ましくは、この素材切断物を少なくともその一部が通気性を持つものとして形成し、その際特に小さな孔部による空気交換や、水蒸気の形態を取る湿気の通過を可能にすれば、有利と考えられる。この素材切断物は、面積あたり重量を３０ｇ／ｍ2〜１５０ｇ／ｍ2とすれば有利である。
【００２７】
本発明のそのほかの特徴、詳細、利点を、添付の特許請求の範囲、本発明によるオムツの好ましい実施形態の図面や下記の説明に記載した。
【発明を実施するための最良の形態】
【００２８】
図１は、使い捨て可能なベルト（ヒップバンド）式オムツ２の模式図であって、このオムツはオムツ本体４と、そこに示唆されている吸収体６を備える。オムツ本体４には一体型の素材切断物８が接合されていて、この素材切断物はベルト式オムツのベルト１０を形成する。この一体型の素材切断物８は、オムツ本体４の外側１２に、これから詳しく説明する方法で、取り外し不可能な状態で接合されている。この素材切断物は、ベルト式オムツ２の横方向１４に、左右の縦方向周縁１６を越えて、展開状態で少なくとも３００ｍｍ以上、特には少なくとも４００ｍｍ以上、特には少なくとも５００ｍｍ以上、特には少なくとも６００ｍｍ以上突出する。図１に示す例では、一体型の素材切断物８が、オムツ縦方向１８の左右で、折り目２０を中心に何回もそれ自体折り返されている。素材切断物８の左右の自由な末端２２は、縦方向左右周縁１６を少なくとも１０ｍｍ突出するつかみしろ２４を形成して、ユーザーがその指でこれを把握する。そこには自由な末端２２にファスナー（固定部）２６が設けられている。これはたとえば接着性のストラップ、または好ましくは機械的なファスナーを備えるストラップである。ベルト１０を閉じて腰まわりを臀部外周方向に沿って閉じるとき、このストラップは、ベルト１０の他方末端２２にある合わせしろ、またはファスナー相方と共同作用し、引き離し可能な状態で接合する。
【００２９】
一体型の素材裁断物８において重ね合わせて折り畳まれた切断物一部分３０は、引き離し可能な状態でたがいに固定され、しかも多数のほぼ点状の接合箇所３２によって、好ましくは超音波融着点によって、この固定が行われる。
【００３０】
ベルト式オムツ２を装着するには、ベルト１０を展開し、ベルト１０のファスナー２６と、他方末端でそれに対応する合わせしろによって、それ自体を閉じる。ここでユーザーまたは介護者は、オムツ本体の一般には自由に下方に垂れる末端を、ユーザーの両足の間から引き上げ、この末端を環状に閉じているベルト１０に、引き離し可能な状態で固定する。好ましくはこの固定を、ベルト１０のユーザーとは反対側つまり外側に行う。オムツ本体４はこの場合も、接着性または機械的に作用するそれ自体は任意のファスナー３４によって、すなわち図示の例ではオムツ本体から左右に突出するファスナーストラップ３６によって、引き離し可能な状態で固定可能である。これに加えて、対応するブリッジ領域３８に、好ましくはオムツ本体４の身体側すなわち内側に、それ自体任意の形状の広い意味のファスナーを設けてもよい。
【００３１】
図２および３は、一体型の素材切断物８のさまざまな折り方を示す（ファスナー２６は図示せず）。図２の折り方は左右にそれぞれ２本の折り目２０を持つ。したがってＺ字形の折り方である。ベルト１０の全長（オムツ本体の横幅を含む。つまり腰まわり全体の円周長さである）は約１２００ｍｍ（ベルト１０を閉じたときに生じるオーバラップ領域は、この場合考慮しない）である。ベルト幅、すなわちオムツ縦方向１８の長さは５０ｍｍ〜１００ｍｍである。
【００３２】
図３の折り方は、左右にそれぞれ４本の折り目２０を持つ。ベルト全長は約１６００ｍｍである。
【００３３】
図４ａ〜４ｅは、本発明によるベルト式オムツ、特にベルト１０の製造方法を示す。そのためには、機械動作縦方向４０にエンドレス（無端）に続く平らな素材シート４２を供給する。平らな素材シート４２は、たとえば図４ａに示す例では、２本の折り目でＺ字形に折り畳まれる。３本、４本、またはそれ以上の折り目による折り方も考えられる。重ね合わせて折り畳まれた切断部部分３０は、図４ｂで模式的に示すように、引き離し可能な状態でたがいに固定される。これは有利な方法として、ほぼ点状の接合箇所３２により、特には超音波融着箇所により行える。図４ｃは、折り畳まれた平らな素材シート４２の一方の側におけるファスナー２６の接合を示す。
【００３４】
次には図４ｄに記載するように、平らな素材シート４２において縦方向４０にたがいに間隔を取る各領域４６に、好ましくは規則的に間隔を取る方法により、領域ごとの接着剤塗布４４を行う。
【００３５】
次には図４ｅに示すように、エンドレスに（無端で）供給される平らな素材シート４２から、縦方向４０を横に切って、縦方向における切断物４７を分離する。この切断物は、横方向に一体型としてつながってベルト１０を形成する素材切断物８である。この切断は接着剤が存在しない領域４８を切って行われることを、図４ｅに示す。
【００３６】
平らな素材シート４２からこうして分離された縦方向における切断物４７は、好ましくはオムツ本体４の外側１２に、引き離し可能な状態で取り付けられる。このことは図１に示してあり、すでに説明済みである。
【図面の簡単な説明】
【００３７】
【図１】本発明のベルト式オムツがベルトを折り畳まれた状態にあるときの模式図である。
【図２】図１のベルト式オムツを線Ａ−Ａで切った模式的断面図であって、このオムツはベルトに１回目の折り返しを行っている。
【図３】図１のベルト式オムツを線Ａ−Ａで切った模式的断面図であって、このオムツはベルトに２回目の折り返しを行っている。
【図４ａ】ベルト切断部分を形成する平らな素材シートの供給、折り返し、固定、接着剤塗布、切断を示す。
【図４ｂ】ベルト切断部分を形成する平らな素材シートの供給、折り返し、固定、接着剤塗布、切断を示す。
【図４ｃ】ベルト切断部分を形成する平らな素材シートの供給、折り返し、固定、接着剤塗布、切断を示す。
【図４ｄ】ベルト切断部分を形成する平らな素材シートの供給、折り返し、固定、接着剤塗布、切断を示す。
【図４ｅ】ベルト切断部分を形成する平らな素材シートの供給、折り返し、固定、接着剤塗布、切断を示す。
【図１】
2007501034.tif 000003
【図２】
2007501034.tif 000004
【図３】
2007501034.tif 000005
【図４ａ】
2007501034.tif 000006
【図４ｂ】
2007501034.tif 000007
【図４ｃ】
2007501034.tif 000008
【図４ｄ】
2007501034.tif 000009
【図４ｅ】
2007501034.tif 000010
【国際調査報告】
2007501034.tif 000011
2007501034.tif 000012
2007501034.tif 000013
2007501034.tif 000014
2007501034.tif 000015
2007501034.tif 000016
2007501034.tif 000017
2007501034.tif 000018